(57)【要約】【課題】本発明は、高さ調整の作業効率を向上させることができる高さ調整機能を有するエレベーターかご用巾木を提供することを目的とする。【解決手段】本発明に係る高さ調整機能を有するエレベーターかご用巾木は、エレベーターのかご１の床５又は壁の少なくとも一方に支持される固定部１４と、上下方向に沿って移動可能な状態で固定部１４に対して取り付けられた移動部１５と、を備える。移動部１５は、例えば、板状に形成され、固定部１４の内壁部１４ｄよりも外側且つ天井部１４ｃの下方に位置し、上端が弾性体１６を介して天井部１４ｃに接続されたものである。【選択図】図２
2018030678.tif 000002
【特許請求の範囲】
【請求項１】
エレベーターのかごの床又は壁の少なくとも一方に支持される固定部と、
上下方向に沿って移動可能な状態で前記固定部に対して取り付けられた移動部と、
を備えた高さ調整機能を有するエレベーターかご用巾木。
【請求項２】
前記固定部は、前記かごの床又は壁の少なくとも一方に固定された部材に対して、前記かごの内部で着脱可能に取り付けられた請求項１に記載の高さ調整機能を有するエレベーターかご用巾木。
【請求項３】
前記固定部は、
前記かごの壁よりも下方且つ前記かごの床よりも上方に位置する天井部と、
前記天井部の内側の端部から下方に延びる内壁部と、
を有し、
前記移動部は、板状に形成され、前記内壁部よりも外側且つ前記天井部の下方に位置し、上端が弾性体を介して前記天井部に接続された請求項１又は２に記載の高さ調整機能を有するエレベーターかご用巾木。
【請求項４】
前記固定部は、板状に形成され、上端が前記かごの壁よりも下方に位置し、下端が前記かごの床よりも上方に位置し、
前記移動部は、
前記固定部の下方且つ前記かごの床よりも上方に位置する底部と、
前記底部の内側の端部から上方に延び、前記固定部よりも内側に位置する内壁部と、
を有し、
前記底部は、弾性体を介して前記固定部の下端に接続された請求項１又は２に記載の高さ調整機能を有するエレベーターかご用巾木。
【請求項５】
前記固定部は、
前記かごの壁よりも下方且つ前記かごの床よりも上方に位置する天井部と、
前記天井部の内側の端部から下方に延びる内壁部と、
前記天井部の外側の端部から下方に延び、上下方向に沿った長穴が形成された外壁部と、
を有し、
前記移動部は、板状に形成され、前記内壁部よりも外側且つ前記天井部の下方に位置し、前記長穴に沿って移動可能な留め具を介して前記外壁部に取り付けられた請求項１又は２に記載の高さ調整機能を有するエレベーターかご用巾木。
【請求項６】
前記固定部は、前記かごの壁よりも下方且つ前記かごの床よりも上方に位置し上下方向に沿った長穴が形成された壁部を有し、
前記移動部は、板状に形成され、前記壁部よりも内側に位置し、前記長穴に沿って移動可能な留め具を介して前記壁部に取り付けられた請求項１又は２に記載の高さ調整機能を有するエレベーターかご用巾木。
【発明の詳細な説明】
【技術分野】
【０００１】
本発明は、エレベーターかご用巾木に関する。
【背景技術】
【０００２】
エレベーターのかごの巾木は、例えば、下端が床敷物の上面に接した状態で設けられている。このため、床敷物を厚さの異なる他の床敷物に交換する際には、巾木の交換又は高さ調整が行われる。下記特許文献１には、高さを調整可能な巾木が記載されている。
【先行技術文献】
【特許文献】
【０００３】
【特許文献１】特開２００３−２４６５６８号公報
【発明の概要】
【発明が解決しようとする課題】
【０００４】
特許文献１に記載の巾木は、かごの側壁に対してボルト等で固定される。このため、巾木の高さ調整の作業効率が良くない。
【０００５】
本発明は、上記の課題を解決するためになされた。その目的は、高さ調整の作業効率を向上させることができる高さ調整機能を有するエレベーターかご用巾木を提供することである。
【課題を解決するための手段】
【０００６】
本発明に係る高さ調整機能を有するエレベーターかご用巾木は、エレベーターのかごの床又は壁の少なくとも一方に支持される固定部と、上下方向に沿って移動可能な状態で固定部に対して取り付けられた移動部と、を備えたものである。
【発明の効果】
【０００７】
本発明において、移動部は、上下方向に沿って移動可能な状態で固定部に対して取り付けられている。このため、本発明によれば、かご用巾木の高さ調整の作業効率を向上させることができる。
【図面の簡単な説明】
【０００８】
【図１】実施の形態１におけるかご用巾木が設置されたかごの内部を示す斜視図である。
【図２】実施の形態１におけるかご用巾木の設置状態を示す断面図である。
【図３】実施の形態１におけるかご用巾木の構造を説明するための断面図である。
【図４】実施の形態２におけるかご用巾木の設置状態を示す断面図である。
【図５】実施の形態２におけるかご用巾木の構造を説明するための断面図である。
【図６】実施の形態３におけるかご用巾木の設置状態を示す断面図である。
【図７】実施の形態３におけるかご用巾木の構造を説明するための断面図である。
【図８】実施の形態３におけるかご用巾木をかごの外側から見た状態を示す拡大図である。
【図９】実施の形態４におけるかご用巾木の設置状態を示す断面図である。
【図１０】実施の形態４におけるかご用巾木の構造を説明するための断面図である。
【発明を実施するための形態】
【０００９】
添付の図面を参照して、高さ調整機能を有するエレベーターかご用巾木を詳細に説明する。各図では、同一又は相当する部分に同一の符号を付している。重複する説明は、適宜簡略化あるいは省略する。
【００１０】
実施の形態１．
図１は、実施の形態１におけるかご用巾木が設置されたかごの内部を示す斜視図である。
【００１１】
図１に示すように、かご１は、天井２、袖壁３、側壁４、床５、かごドア６及びかご用巾木７を備える。床５には、図１に図示しない床敷物が設置される場合がある。かご用巾木７は、例えば、袖壁３及び側壁４の下方に設けられている。かご用巾木７の下端は、例えば、床敷物が設置されていない場合は、床５の上面に接触する。かご用巾木７の下端は、例えば、床敷物が設置されている場合は、当該床敷物の上面に接触する。
【００１２】
図２は、実施の形態１におけるかご用巾木の設置状態を示す断面図である。図３は、実施の形態１におけるかご用巾木の構造を説明するための断面図である。図２における左側は、かご１の内側である。図２における右側は、かご１の外側である。つまり、図２における右側の空間は、例えば、図示しない昇降路の内部空間である。
【００１３】
以下、特に断りのない限り、水平方向を指定する場合、図面における左側を「内側」とも呼び、図面における右側を「外側」とも呼ぶ。
【００１４】
図２に示すように、袖壁３及び側壁４の下端部には、補強部材８が設けられている。補強部材８は、袖壁３及び側壁４の外側の面に固定されている。補強部材８と床５との間には、巾木台９が設けられている。巾木台９の断面は、例えば、Ｓ字状を呈する。巾木台９の下端は、固定具１０で床５に固定されている。巾木台９の上端は、固定具１０で補強部材８に固定されている。固定具１０は、例えば、ボルト及びナットである。巾木台９には、内側から外側に貫通した穴１１が形成されている。巾木台９には、穴１１を介してクリップ１２が取り付けられている。床５には、床敷物１３が設けられている。
【００１５】
図２に示すように、かご用巾木７は、袖壁３及び側壁４よりも下方且つ床５よりも上方に位置する。かご用巾木７は、固定部１４、移動部１５及び弾性体１６を有する。弾性体１６は、例えば、バネ等である。移動部１５は、例えば、固定部１４と同じ材質で形成されている。移動部１５は、例えば、固定部１４と同じ色を呈する。固定部１４は、下向きの凹部を有する形状に形成されている。移動部１５は、例えば、板状に形成されている。移動部１５は、凹部に挿入された状態で弾性体１６を介して固定部１４に接続されている。移動部１５の下端は、床敷物１３の上面に接触している。
【００１６】
図３に示すように、固定部１４は、支持部１４ａ、外壁部１４ｂ、天井部１４ｃ及び内壁部１４ｄを有する。支持部１４ａ及び天井部１４ｃは、例えば、水平方向に沿った形状を呈する。外壁部１４ｂ及び内壁部１４ｄは、例えば、上下方向に沿った形状を呈する。外壁部１４ｂは、支持部１４ａの内側の端部から上方に延びる。天井部１４ｃの外側の端部は、外壁部１４ｂの上端部に連続する。内壁部１４ｄは、天井部１４ｃの内側の端部から下方に延びる。内壁部１４ｄは、外壁部１４ｂよりも長く形成されている。固定部１４の凹部は、外壁部１４ｂ、天井部１４ｃ及び内壁部１４ｄによって形成されている。
【００１７】
図３に示すように、移動部１５は、外壁部１４ｂよりも内側且つ内壁部１４ｄよりも外側に位置する。移動部１５は、天井部１４ｃの下方に位置する。移動部１５の上端は、弾性体１６を介して天井部１４ｃの下面に接続される。移動部１５は、上向きの力を加えられると、上に移動する。移動部１５は、上向きの力を加えられなくなると、自重及び弾性体１６の弾性によって落下するように下に移動する。つまり、移動部１５は、弾性体１６が伸縮可能な範囲で、固定部１４に対して上下方向に沿って移動可能である。移動部１５が移動すると、移動部１５のうち固定部１４の凹部から露出する部分の長さが変化する。
【００１８】
図２に示すように、固定部１４は、支持部１４ａがクリップ１２に挟まれることで巾木台９に対して着脱可能に取り付けられている。支持部１４ａは、外側に向かって移動されることでクリップ１２に挟まれる。つまり、かご用巾木７は、かご１の内部において、例えば、巾木台９に向かって押し込むことで取り付けられる。支持部１４ａは、内側に向かって移動されることでクリップ１２から外れる。つまり、かご用巾木７は、かご１の内部において、例えば、巾木台９から手前に引き出すことで取り外される。
【００１９】
実施の形態１において、固定部１４は、エレベーターのかご１の床５又は壁の少なくとも一方に支持される。移動部１５は、上下方向に沿って移動可能な状態で固定部１４に対して取り付けられている。つまり、移動部１５は、かご１の床５又は壁に固定されていない。このため、実施の形態１によれば、移動部１５を移動させることで、かご用巾木７の上下方向における下端の位置を容易に変更することができる。これにより、例えば、かご内の床敷物１３を交換する際には、移動部１５を一時的に持ち上げた状態で新しい床敷物１３を設置すればよい。つまり、床敷物の厚さに合わせてかご用巾木の交換又は付け直しをする必要がない。その結果、かご用巾木の高さ調整の作業効率を向上させることができる。
【００２０】
実施の形態１において、固定部１４は、かご１の床５又は壁の少なくとも一方に固定された部材である巾木台９に対して、かご１の内部で着脱可能に取り付けられている。このため、実施の形態１によれば、かご用巾木７の取り付けの際に、保守作業者が昇降路内に入る必要がない。その結果、既設のエレベーターに対して容易にかご用巾木の高さ調整機能を付加することができる。
【００２１】
実施の形態１において、固定部１４は、天井部１４ｃ及び内壁部１４ｄを有する。天井部１４ｃは、かご１の壁よりも下方且つかご１の床５よりも上方に位置する。内壁部１４ｄは、天井部１４ｃの内側の端部から下方に延びる。移動部１５は、板状に形成され、内壁部１４ｄよりも外側且つ天井部１４ｃの下方に位置し、上端が弾性体１６を介して天井部１４ｃに接続されている。このため、実施の形態１によれば、移動部１５は、弾性体１６の弾性によって床敷物１３に押し付けられる。その結果、例えば、かご用巾木が水平方向にずれることを防止できる。
【００２２】
実施の形態２．
以下、実施の形態１との相違点を中心に、高さ調整機能を有するエレベーターかご用巾木の構成を説明する。実施の形態１と同一又は相当する部分には同一の符号を付して、一部の説明を省略する。
【００２３】
図４は、実施の形態２におけるかご用巾木の設置状態を示す断面図である。図５は、実施の形態２におけるかご用巾木の構造を説明するための断面図である。
【００２４】
図４に示すように、実施の形態２において、固定部１４は、例えば、板状に形成されている。移動部１５は、上向きの凹部を有する形状に形成されている。固定部１４は、凹部に挿入された状態で弾性体１６を介して移動部１５に接続されている。移動部１５の下端は、床敷物１３の上面に接触している。
【００２５】
図５に示すように、固定部１４には、支持部材１７が固定されている。支持部材１７の断面は、例えば、Ｌ字状を呈する。支持部材１７のうち上下方向に沿った部位は、固定部１４の外側の面に固定されている。支持部材１７のうち水平方向に沿った部位の内側の端部は、上下方向に沿った部位の下端に連続する。
【００２６】
図５に示すように、移動部１５は、外壁部１５ａ、底部１５ｂ及び内壁部１５ｃを有する。底部１５ｂは、例えば、水平方向に沿った形状を呈する。外壁部１５ａ及び内壁部１５ｃは、例えば、上下方向に沿った形状を呈する。底部１５ｂの外側の端部は、外壁部１５ａの下端部に連続する。内壁部１５ｃは、底部１５ｂの内側の端部から上方に延びる。内壁部１５ｃは、外壁部１５ａよりも長く形成されている。移動部１５の凹部は、外壁部１５ａ、底部１５ｂ及び内壁部１５ｃによって形成されている。
【００２７】
図５に示すように、移動部１５は、外壁部１５ａよりも内側且つ内壁部１５ｃよりも外側に位置する。固定部１４は、底部１５ｂの上方に位置する。固定部１４の下端は、弾性体１６を介して底部１５ｂの上面に接続される。移動部１５は、上向きの力を加えられると、上に移動する。移動部１５は、上向きの力を加えられなくなると、自重及び弾性体１６の弾性によって落下するように下に移動する。つまり、移動部１５は、弾性体１６が伸縮可能な範囲で、固定部１４に対して上下方向に沿って移動可能である。移動部１５が移動すると、固定部１４のうち移動部１５の凹部から露出する部分の長さが変化する。
【００２８】
図４に示すように、固定部１４は、支持部材１７がクリップ１２に挟まれることで巾木台９に対して着脱可能に取り付けられている。支持部材１７は、外側に向かって移動されることでクリップ１２に挟まれる。つまり、かご用巾木７は、かご１の内部において、例えば、巾木台９に向かって押し込むことで取り付けられる。支持部材１７は、内側に向かって移動されることでクリップ１２から外れる。つまり、かご用巾木７は、かご１の内部において、例えば、巾木台９から手前に引き出すことで取り外される。
【００２９】
実施の形態２において、固定部１４は、エレベーターのかご１の床５又は壁の少なくとも一方に支持される。移動部１５は、上下方向に沿って移動可能な状態で固定部１４に対して取り付けられている。このため、実施の形態２によれば、実施の形態１と同様に、かご用巾木の高さ調整の作業効率を向上させることができる。
【００３０】
実施の形態２において、固定部１４は、かご１の床５又は壁の少なくとも一方に固定された部材である巾木台９に対して、かご１の内部で着脱可能に取り付けられている。このため、実施の形態２によれば、実施の形態１と同様に、既設のエレベーターに対して容易にかご用巾木の高さ調整機能を付加することができる。
【００３１】
実施の形態２において、固定部１４は、板状に形成され、上端がかご１の壁よりも下方に位置し、下端がかご１の床５よりも上方に位置する。移動部１５は、底部１５ｂ及び内壁部１５ｃを有する。底部１５ｂは、固定部１４の下方且つかご１の床５よりも上方に位置する。内壁部１５ｃは、底部１５ｂの内側の端部から上方に延び、固定部１４よりも内側に位置する。底部１５ｂは、弾性体１６を介して固定部１４の下端に接続されている。このため、実施の形態２によれば、移動部１５は、弾性体１６の弾性によって床敷物１３に押し付けられる。その結果、例えば、かご用巾木が水平方向にずれることを防止できる。また、実施の形態２によれば、固定部１４のうち移動部１５の凹部から露出する部分が床５から離れている。これにより、エレベーターの乗客がかご内で床を見下ろしたとしても、固定部１４と移動部１５との境界が目立ちにくい。その結果、かご内の美観を損ねることを防止できる。
【００３２】
実施の形態３．
以下、実施の形態１及び２との相違点を中心に、高さ調整機能を有するエレベーターかご用巾木の構成を説明する。実施の形態１又は２と同一又は相当する部分には同一の符号を付して、一部の説明を省略する。
【００３３】
図６は、実施の形態３におけるかご用巾木の設置状態を示す断面図である。図７は、実施の形態３におけるかご用巾木の構造を説明するための断面図である。
【００３４】
図６及び図７に示すように、実施の形態３において、かご用巾木７は、固定部１４及び移動部１５を有し、弾性体１６を有しない。外壁部１４ｂには、上下方向に沿った長穴１８が形成されている。長穴１８は、外壁部１４ｂを外側から内側に貫通している。移動部１５の外側の面には、長穴１８を通った状態で留め具１９が固定されている。留め具１９は、例えば、ネジ又はピン等である。なお、かご用巾木７の構造のうち他の部分は、実施の形態１と同様である。
【００３５】
図８は、実施の形態３におけるかご用巾木をかごの外側から見た状態を示す拡大図である。図８における奥側は、かご１の内側である。図８における手前側は、かご１の外側である。
【００３６】
図８に示すように、留め具１９は、長穴１８に沿って移動可能である。つまり、留め具１９は、移動部１５を外壁部１４ｂに固定していない。移動部１５は、上向きの力を加えられると、上に移動する。移動部１５は、上向きの力を加えられなくなると、自重によって落下するように下に移動する。つまり、移動部１５は、留め具１９が長穴１８に沿って移動可能な範囲で、固定部１４に対して上下方向に沿って移動可能である。
【００３７】
実施の形態３において、固定部１４は、エレベーターのかご１の床５又は壁の少なくとも一方に支持される。移動部１５は、上下方向に沿って移動可能な状態で固定部１４に対して取り付けられている。このため、実施の形態３によれば、実施の形態１及び２と同様に、かご用巾木の高さ調整の作業効率を向上させることができる。
【００３８】
実施の形態３において、固定部１４は、かご１の床５又は壁の少なくとも一方に固定された部材である巾木台９に対して、かご１の内部で着脱可能に取り付けられている。このため、実施の形態３によれば、実施の形態１及び２と同様に、既設のエレベーターに対して容易にかご用巾木の高さ調整機能を付加することができる。
【００３９】
実施の形態３において、固定部１４は、天井部１４ｃ、内壁部１４ｄ及び外壁部１４ｂを有する。天井部１４ｃは、かご１の壁よりも下方且つかご１の床５よりも上方に位置する。内壁部１４ｄは、天井部１４ｃの内側の端部から下方に延びる。外壁部１４ｂは、天井部１４ｃの外側の端部から下方に延び、上下方向に沿った長穴１８が形成されている。移動部１５は、板状に形成され、内壁部１４ｄよりも外側且つ天井部１４ｃの下方に位置し、長穴１８に沿って移動可能な留め具１９を介して外壁部１４ｂに取り付けられている。このため、実施の形態３によれば、簡単な構成で、高さ調整機能を有するかご用巾木を実現することができる。
【００４０】
実施の形態４．
以下、実施の形態１、２及び３との相違点を中心に、高さ調整機能を有するエレベーターかご用巾木の構成を説明する。実施の形態１、２又は３と同一又は相当する部分には同一の符号を付して、一部の説明を省略する。
【００４１】
図９は、実施の形態４におけるかご用巾木の設置状態を示す断面図である。図１０は、実施の形態４におけるかご用巾木の構造を説明するための断面図である。
【００４２】
図９及び図１０に示すように、実施の形態４において、固定部１４は、支持部１４ａ及び壁部１４ｅを有し、天井部１４ｃ及び内壁部１４ｄを有しない。壁部１４ｅは、実施の形態３における外壁部１４ｂに対応する。壁部１４ｅには、上下方向に沿った長穴１８が形成されている。長穴１８は、壁部１４ｅを外側から内側に貫通している。移動部１５の外側の面には、長穴１８を通った状態で留め具１９が固定されている。留め具１９は、移動部１５を壁部１４ｅに固定していない。なお、かご用巾木７の構造のうち他の部分は、実施の形態３と同様である。
【００４３】
実施の形態４において、固定部１４は、エレベーターのかご１の床５又は壁の少なくとも一方に支持される。移動部１５は、上下方向に沿って移動可能な状態で固定部１４に対して取り付けられている。このため、実施の形態４によれば、実施の形態１、２及び３と同様に、かご用巾木の高さ調整の作業効率を向上させることができる。
【００４４】
実施の形態４において、固定部１４は、かご１の床５又は壁の少なくとも一方に固定された部材である巾木台９に対して、かご１の内部で着脱可能に取り付けられている。このため、実施の形態４によれば、実施の形態１、２及び３と同様に、既設のエレベーターに対して容易にかご用巾木の高さ調整機能を付加することができる。
【００４５】
実施の形態４において、固定部１４は、壁部１４ｅを有する。壁部１４ｅは、かご１の壁よりも下方且つかご１の床５よりも上方に位置し、上下方向に沿った長穴１８が形成されている。移動部１５は、板状に形成され、壁部１４ｅよりも内側に位置し、長穴１８に沿って移動可能な留め具１９を介して壁部１４ｅに取り付けられている。このため、実施の形態４によれば、より簡単な構成で、高さ調整機能を有するかご用巾木を実現することができる。
【符号の説明】
【００４６】
１  かご
２  天井
３  袖壁
４  側壁
５  床
６  かごドア
７  かご用巾木
８  補強部材
９  巾木台
１０  固定具
１１  穴
１２  クリップ
１３  床敷物
１４  固定部
１４ａ  支持部
１４ｂ  外壁部
１４ｃ  天井部
１４ｄ  内壁部
１４ｅ  壁部
１５  移動部
１５ａ  外壁部
１５ｂ  底部
１５ｃ  内壁部
１６  弾性体
１７  支持部材
１８  長穴
１９  留め具
【図１】
2018030678.tif 000003
【図２】
2018030678.tif 000004
【図３】
2018030678.tif 000005
【図４】
2018030678.tif 000006
【図５】
2018030678.tif 000007
【図６】
2018030678.tif 000008
【図７】
2018030678.tif 000009
【図８】
2018030678.tif 000010
【図９】
2018030678.tif 000011
【図１０】
2018030678.tif 000012